(57)【要約】【課題】携帯電話の組込アプリケーションを利用することなく、ユーザの位置情報を確認することができ、かつ電子ペンのデータも送ることを目的とする。【解決手段】携帯電話１０２が、電子ペン１０１から、帳票データを受信し、受信した帳票データを、ダイヤルアップネットワーク１０３経由で管理サーバ１０４に送信し、管理サーバ１０４が、携帯電話１０２のメールアドレスを取得し、メールアドレスに宛てて、位置情報確認メールを送信し、位置情報確認メールを受信した携帯電話１０２が、ＧＰＳから携帯電話１０２自身の位置情報を取得し、取得した位置情報を、管理サーバ１０４へ送信し、管理サーバ１０４が、受信した位置情報と、作業予定情報とを比較することを特徴とすることを特徴とする。【選択図】図８
2010109868.tif 000002
【特許請求の範囲】
【請求項１】
電子ペンと、前記電子ペンを使用しているユーザに所持されている携帯電話と、前記電子ペンを使用しているユーザの位置確認を行なう管理サーバと、を有する位置確認システムによる位置確認方法であって、
前記管理サーバは、当該電子ペンを使用しているユーザの作業予定位置を格納している作業予定情報を保持している記憶部を有しており、
前記携帯電話は、位置情報送信装置から当該携帯電話自身の位置情報を取得する機能と、前記電子ペンから帳票の記述内容に関するデータである帳票データを受信する機能を有しており、
前記携帯電話が、
前記電子ペンから、帳票データを受信し、
前記受信した帳票データを、ダイアルアップネットワークへ向けて発信することにより、管理サーバに送信し、
前記管理サーバが、
前記帳票データに含まれているデータを基に、前記携帯電話のメールアドレスを取得し、
前記メールアドレスに宛てて、位置情報確認メールを送信し、
前記位置情報確認メールを受信した携帯電話が、
位置情報送信装置から前記携帯電話自身の位置情報を取得し、
前記取得した位置情報を、前記管理サーバへ送信し、
前記管理サーバが、
前記受信した位置情報と、前記記憶部の作業予定情報とを比較する
ことを特徴とする位置確認方法。
【請求項２】
前記位置確認システムは、
Ｗｅｂサーバをさらに備えており、
前記位置情報確認メールには、前記ＷｅｂサーバにアクセスするためのＵＲＬが記述されており、
前記携帯電話が、
前記位置情報確認メールに記述されているＵＲＬを基に、前記Ｗｅｂサーバへ前記取得した位置情報を送信し、
前記Ｗｅｂサーバが、
前記受信した位置情報を、前記管理サーバへ送信する
ことによって、前記携帯電話から送信された位置情報は、前記Ｗｅｂサーバを経由して、前記管理サーバへ送信される
ことを特徴とする請求項１に記載の位置確認方法。
【請求項３】
前記作業予定情報には、作業予定時間に関する情報が、前記電子ペンの識別情報および前記作業予定位置と対応付けられて格納されており、
前記携帯電話が、
現在時刻の情報を、前記位置情報に付加して、前記管理サーバへ送信し、
前記管理サーバは、
前記受信した位置情報に付加されている現在時刻の情報と、前記作業予定情報の作業予定時間に関する情報とを比較する
ことを特徴とする請求項１に記載の位置確認方法。
【請求項４】
前記管理サーバは、
前記記憶部に、前記電子ペンの識別情報と、前記電子ペンを使用しているユーザが所持している携帯電話のメールアドレスとを対応させて格納しているペン情報をさらに保持しており、
前記帳票データには、前記電子ペンの識別情報が含まれており、
前記管理サーバが、
前記受信した帳票データから、前記電子ペンの識別情報を取得し、
前記電子ペンの識別情報を基に、前記ペン情報から前記携帯電話のメールアドレスを取得する
ことを特徴とする請求項１に記載の位置確認方法。
【請求項５】
前記携帯電話は、近距離無線通信により、前記電子ペンから帳票データを受信する
ことを特徴とする請求項１に記載の位置確認方法。
【請求項６】
電子ペンを使用しているユーザの位置確認を行なう管理サーバによる位置確認方法であって、
前記管理サーバは、
前記電子ペンを使用しているユーザの作業予定位置を格納している作業予定情報を保持している記憶部を有しており、
前記管理サーバが、
前記電子ペンから読み込んだ、帳票の記述内容に関するデータであり、前記電子ペンを使用しているユーザに所持されている携帯電話がダイアルアップネットワークへ向けて発信した帳票データを、受信し、
前記受信した帳票データに含まれているデータを基に、前記携帯電話のメールアドレスを取得し、
前記メールアドレスに宛てて、位置情報確認メールを送信し、
前記携帯電話から、当該携帯電話の位置情報を受信すると、
前記受信した位置情報と、前記記憶部の作業予定情報とを比較する
ことを特徴とする位置確認方法。
【請求項７】
前記作業予定情報には、作業予定時間に関する情報が、前記電子ペンの識別情報および前記作業予定位置と対応付けられて格納されており、
前記携帯電話から受信する前記位置情報には、時刻の情報が付加されており、
前記管理サーバが、
前記位置情報に付加されている時刻の情報と、前記作業予定情報の作業予定時間に関する情報とを比較する
ことを特徴とする請求項６に記載の位置確認方法。
【請求項８】
前記管理サーバは、
前記記憶部に、前記電子ペンの識別情報と、前記電子ペンを使用しているユーザが所持している携帯電話のメールアドレスとを対応させて格納しているペン情報をさらに保持しており、
前記帳票データには、前記電子ペンの識別情報が含まれており、
前記管理サーバが、
前記受信した帳票データから、前記電子ペンの識別情報を取得し、
前記電子ペンの識別情報を基に、前記ペン情報から前記携帯電話のメールアドレスを取得する
ことを特徴とする請求項６に記載の位置確認方法。
【請求項９】
請求項１から請求項８のいずれか一項に記載の位置確認方法をコンピュータに実行させることを特徴とするプログラム。
【請求項１０】
電子ペンを使用しているユーザの位置確認を行なう位置確認システムであって、
当該電子ペンを使用しているユーザの作業予定位置を格納している作業予定情報を保持している記憶部を有し、帳票の記述内容に関するデータである帳票データに含まれているデータを基に、前記携帯電話のメールアドレスを取得し、前記メールアドレスに宛てて、位置情報確認メールを送信し、前記携帯電話から受信した当該携帯電話の位置情報と、前記記憶部の作業予定情報とを比較する管理サーバと、
前記電子ペンを使用しているユーザに所持されており、位置情報送信装置から当該携帯電話自身の位置情報を取得する機能と、前記電子ペンから前記帳票データを受信する機能を有し、前記電子ペンから、帳票データを受信し、前記受信した帳票データを、ダイアルアップネットワークへ向けて発信することにより、管理サーバに送信し、前記管理サーバより受信した位置情報送信装置から前記携帯電話自身の位置情報を取得し、前記取得した位置情報を、前記管理サーバへ送信する携帯電話と、
を有することを特徴とする位置確認システム。
【請求項１１】
電子ペンを使用しているユーザの位置確認を行なう管理サーバであって、
前記電子ペンを使用しているユーザの作業予定位置を格納している作業予定情報を保持している記憶部と、
前記電子ペンから読み込んだ、帳票の記述内容に関するデータであり、前記電子ペンを使用しているユーザに所持されている携帯電話がダイアルアップネットワークへ向けて発信した帳票データを、受信する受信部と、
前記受信した帳票データに含まれているデータを基に、前記携帯電話のメールアドレスを取得し、前記メールアドレスに宛てて、位置情報確認メールを送信するメール処理部と、
前記携帯電話から受信した当該携帯電話の位置情報と、前記記憶部の作業予定情報とを比較する位置比較処理部と、
を有することを特徴とする管理サーバ。
【発明の詳細な説明】
【技術分野】
【０００１】
本発明は、位置確認方法、プログラム、位置確認システムおよび管理サーバに関するものである。
【背景技術】
【０００２】
機器の保守などにおいては、作業者（ユーザ）が現地に行って作業を行うが、作業者が確実に作業予定時間に作業場所にいたか否かを確認できることが重要である。
このように作業場所における作業者の有無を簡便に確認できる方法として、ＧＰＳ（Global Positioning System）などを利用することによって、電子ペンを用いて筆記された場所を特定する機能を有する筆記情報処理装置、情報生成装置及びプログラムが開示されている（例えば、特許文献１参照）
また、携帯電話に特定の組込アプリケーションを搭載し、この組込アプリケーションを有している携帯電話を介して、電子ペンのデータを管理サーバに送信すると同時に、携帯電話の位置情報を携帯電話自身が取得して、電子ペンのデータと共に管理サーバへ送信する技術が開示されている（例えば、非特許文献１〜３参照）。
【特許文献１】特開２００８−１４０３２５号公報
【非特許文献１】”デジタルペンを用いた法人向けＡＳＰサービス「ＭｏｂｉｌｅＰｅｎサービス（登録商標）」の提供開始”、[online]、２００８年８月２１日、株式会社エヌ・ティ・ティ・ドコモ、［平成２０年１０月２１日検索］、インターネット<URL:http://www.nttdocomo.co.jp/info/news_release/page/080821_00.html#p01>
【非特許文献２】”デジタルペンを活用したソリューション”、[online]、ＫＤＤＩ株式会社、［平成２０年１０月２１日検索］、インターネット<URL:http://www.kddi.com/business/mobile/case_study/pattern/digitalpen.html>
【非特許文献３】”アノト方式デジタルペンソリューション”、[online]、ソフトバンクモバイル株式会社、［平成２０年１０月２１日検索］、インターネット<URL:http://mb.softbank.jp/mb/biz/services/mobile/effic/dainihon_anoto.html>
【発明の開示】
【発明が解決しようとする課題】
【０００３】
しかしながら、特許文献１に記載の技術は、ＧＰＳなどから位置情報を取得するための機能を電子ペンに組み込むことが必要となる。
また、非特許文献１〜３に記載の技術では、携帯電話に特定の組込アプリケーションを搭載することにより、キャリアや、携帯電話メーカに依存してしまうという問題がある。
【０００４】
前記課題に鑑みて、本発明は、携帯電話の組込アプリケーションを利用することなく、ユーザの位置情報を確認することができ、かつ電子ペンのデータも送ることを目的とする。
【課題を解決するための手段】
【０００５】
前記課題を解決するため、本発明は、携帯電話が、電子ペンから、帳票データを受信し、前記受信した帳票データをダイヤルアップネットワークへ向けて送信することにより、管理サーバに送信し、前記管理サーバが、前記携帯電話のメールアドレスを取得し、前記メールアドレスに宛てて、位置情報確認メールを送信し、前記位置情報確認メールを受信した携帯電話が、位置情報確認装置から前記携帯電話自身の位置情報を取得し、前記取得した位置情報を、前記管理サーバへ送信し、前記管理サーバが、前記携帯電話から受信した位置情報と、前記記憶部の作業予定情報とを比較することを特徴とすることを特徴とする。
その他の手段については、後記する実施の形態で述べる。
【発明の効果】
【０００６】
本発明によれば、携帯電話の組込アプリケーションを利用することなく、ユーザの位置情報を確認することができ、かつ電子ペンのデータも送ることができる。
【発明を実施するための最良の形態】
【０００７】
以下、本発明の実施の形態を図１〜図９を用いて説明する。
【０００８】
《システム構成》
図１は、本実施形態に係る位置確認システムの構成例を示す図である。
位置確認システム１は、管理サーバ１０４と、電子ペン１０１と、帳票１００と、ＧＰＳ機能付携帯電話１０２と、管理端末１０５と、メールサーバ１０６と、Ｗｅｂサーバ１０７と、ダイアルアップサーバ１０９とを有してなる。このうち、ＧＰＳ機能付携帯電話１０２と、ダイアルアップサーバ１０９とは、ダイアルアップネットワーク１０３を介して互いに接続している。また、ＧＰＳ機能付携帯電話１０２と、Ｗｅｂサーバ１０７と、ダイアルアップサーバ１０９と、管理サーバ１０４とは、ＩＰネットワーク１０８を介して互いに接続している。ダイアルアップサーバ１０９と、管理サーバ１０４との間におけるＩＰネットワーク１０８はイントラネットでもよい。なお、電子ペン１０１と、ＧＰＳ機能付携帯電話１０２とは、例えばＢｌｕｅｔｏｏｔｈ（登録商標）のような近距離無線通信によって通信可能となっているが、赤外線通信を用いてもよいし、他の無線方式を用いてもよい。
【０００９】
（管理サーバ）
管理サーバ１０４は、電子ペン１０１が情報を取得するのに必要である帳票１００をプリンタに印刷させたり、ＧＰＳ機能付携帯電話１０２（以下、適宜携帯電話と記載する）や、Ｗｅｂサーバ１０７から情報を取得したりする機能を有する。さらに、管理サーバ１０４は、Ｗｅｂサーバ１０７から取得したＧＰＳ機能付携帯電話１０２の位置情報を、予め管理サーバ１０４に記憶されている作業依頼情報１２０２や、作業予定位置情報１２０３（図６、図７で後記）などと比較することによって、ユーザ（作業者）が作業予定場所にいたか否かを判定する機能を有する。
【００１０】
管理サーバ１０４は、ＲＡＭ（Random Access Memory）１１１と、ＣＰＵ（Central Processing Unit）などの演算処理部１１０と、外部装置との情報の送受信を行う送受信部１１２と、記憶部１２０とを有する。演算処理部１１０は、ＲＡＭ１１１、送受信部１１２（受信部）および記憶部１２０と接続している。
記憶部１２０には、位置比較処理プログラム１２１と、メール処理プログラム１２２と、帳票解析プログラム１２３と、ペン情報データベース１２６と、携帯位置情報データベース１２７と、作業依頼情報データベース１２８と、作業予定位置情報データベース１２９とが記憶されている。
【００１１】
ペン情報データベース１２６には、電子ペン１０１と、ＧＰＳ機能付携帯電話１０２のメールアドレスとが対応付けられたペン情報１２００が記憶されている。ペン情報１２００については、図４を参照して後記する
【００１２】
携帯位置情報データベース１２７には、ＧＰＳ機能付携帯電話１０２（携帯電話）またはＷｅｂサーバ１０７から送信されてきた、携帯電話の位置座標や、携帯電話がＷｅｂサーバ１０７に携帯位置データを送信した日時や、ユーザ（作業者）が所持している電子ペン１０１のペンＩＤ（Identification）などが対応付けられた携帯位置情報１２０１が記憶されている。携帯位置情報１２０１については、図５を参照して後記する。
【００１３】
作業依頼情報データベース１２８には、作業予定位置情報データベース１２９の作業予定位置情報１２０３に紐付けられている作業予定位置ＩＤや、作業開始予定日時や、作業終了予定日時など作業予定に関する情報である作業依頼情報１２０２が記憶されている。作業依頼情報１２０２については、図６を参照して後記する。
【００１４】
作業予定位置情報データベース１２９には、作業依頼情報データベース１２８における作業予定位置ＩＤに対応する形式で、作業が行われる予定の位置情報である作業予定位置情報１２０３が記憶されている。作業予定位置情報１２０３については、図７を参照して後記する。
【００１５】
位置比較処理プログラム１２１（位置比較処理部）は、携帯位置情報１２０１の送信日時が、作業依頼情報１２０２の作業開始予定日時と作業終了予定日時の間にあるか否かや、携帯位置情報１２０１の位置座標が、作業予定位置情報１２０３の作業予定位置座標中にあるか否かを判定する機能を有する。
メール処理プログラム１２２（メール処理部）は、ＧＰＳ機能付携帯電話１０２に送信する位置情報確認メールを生成する機能を有する。
帳票解析プログラム１２３は、ＧＰＳ機能付携帯電話１０２から送られてきた帳票データの解析を行う機能を有する。
位置比較処理プログラム１２１、メール生成プログラム１２２および帳票解析プログラム１２３の詳細な処理は、図９を参照して後記する。
【００１６】
（管理端末）
管理端末１０５は、管理サーバ１０４のコンソールであり、専用の端末を用いることや、演算手段としてのＣＰＵ、管理端末１０５の動作を実現するプログラムを展開したり、実行中のデータを一時記憶したりするＲＡＭ、前記のプログラムが記憶されるハードディスクドライブ、管理サーバ１０４との通信を行う際に使用するネットワークインタフェースを備える一般的なコンピュータにより具現することもできる。この管理端末１０５を介して、管理サーバ１０４における帳票１００に印刷される情報の設定を行ったり、管理サーバ１０４が出力する情報を表示したりすることができる。
【００１７】
電子ペン１０１は、帳票１００への記入および記入に伴う軌跡情報（記入データ）および記入時刻情報の取得を行う機能を有する。電子ペン１０１の詳細については、図２を参照して後記する。
【００１８】
（ＧＰＳ機能付携帯電話）
ＧＰＳ機能付携帯電話１０２は、Ｂｌｕｅｔｏｏｔｈ（登録商標）などの近距離無線通信を用いて、電子ペン１０１に内蔵された伝送装置１０１６（図２）を介して送信された軌跡情報や記入時刻情報などである帳票データを受信し、必要に応じて自身に内蔵する記憶部に記憶する。そして、ＧＰＳ機能付携帯電話１０２は、記憶した帳票データを、ダイアルアップネットワーク１０３を介して管理サーバ１０４に送信する。さらに、ＧＰＳ機能付携帯電話１０２は、ＧＰＳ（位置情報送信装置）を利用して自身の位置座標を取得する機能を有している。さらに、ＧＰＳ機能付携帯電話１０２は、メールの送受信機能も有している。
【００１９】
（ダイアルアップサーバ、Ｗｅｂサーバ、メールサーバ）
ダイアルアップサーバ１０９は、電話回線を使用してデータの送受信を中継するサーバであり、本実施形態ではＧＰＳ機能付携帯電話１０２からダイアルアップ接続で送信されてきた帳票データが、管理サーバ１０４へ送信される際の中継ポイントとなるサーバである。また、ダイアルアップサーバ１０９から管理サーバへ帳票データを送信する際には、インターネットやイントラネットなどのＩＰネットワーク１０８を介する。
Ｗｅｂサーバ１０７は、ＩＰネットワーク１０８を介したサービスを提供するサーバであり、本実施形態では携帯位置データが、ＧＰＳ機能付携帯電話１０２から管理サーバ１０４へ送信される際の中継ポイントとなるサーバである。
メールサーバ１０６は、ＩＰネットワーク１０８を介したメールの送受信を中継するサーバである。
なお、ダイアルアップサーバ１０９およびメールサーバ１０６は、ＧＰＳ機能付携帯電話１０２のキャリア会社に設置されているサーバであり、Ｗｅｂサーバ１０７は、Ｗｅｂサービス会社に設置されているサーバである。
【００２０】
《電子ペン》
図２は、本実施形態に係る電子ペンの構成例を示す図である。
電子ペン１０１は、ユーザ（作業者）によって帳票１００に記入された軌跡情報（実際には座標情報）をＧＰＳ機能付携帯電話１０２に送信する機能を有する。電子ペン１０１は、通常のインクタイプのペン１０１０に加えて帳票１００に印刷されたドットパターンを読み取るためのカメラ１０１１、記入時に電子ペン１０１に作用する筆圧を検出する圧電素子１０１２、カメラ１０１１および圧電素子１０１２からのデータを処理して、記入により移動するペン先の位置をドットパターンと関連付け、軌跡情報として生成する処理装置１０１３、生成された軌跡情報の蓄積などを行うメモリ１０１４、伝送装置１０１６、電子ペン１０１に電源を供給する電池１０１５、圧電素子１０１２が筆圧を検知した時刻情報（タイムスタンプ）を処理装置１０１３に通知するタイマ１０１７を有する。
【００２１】
伝送装置１０１６は、短距離無線伝送技術の一種であるＢｌｕｅｔｏｏｔｈ（登録商標）などの通信プロトコルに従い、所定の周波数帯域の電波を利用して情報を送受信する装置があげられるが、その他の無線技術や、赤外線通信、無線ＬＡＮ、あるいは優先通信技術の通信プロトコルに従って情報を送受信する装置であってもよい。また、処理装置１０１３は、ＣＰＵやＲＯＭ（Read Only Memory）などの電気・電子回路を含み、電子ペン１０１を統括的に制御する。
【００２２】
電子ペン１０１においては、ユーザ（作業者）が電子ペン１０１により帳票１００上に文字などを書く際に、圧電素子１０１２が、ペン１０１０に与えられる圧力、すなわち筆圧を検出し、圧力信号として処理装置１０１３へ供給し、処理装置１０１３は、この圧力信号に基づいてカメラ１０１１のスイッチオン／オフの切り替えなどを行う。電子ペン１０１は、所定値以上の筆圧が検出されたときに、利用者が記入を開始したと判定して、カメラ１０１１を作動させる。カメラ１０１１は、帳票１００上のドットパターンを読み取り、その情報を処理装置１０１３に供給する。メモリ１０１４には、ドットパターンと、帳票１００上のＸ／Ｙ座標とが対応付けられているドットパターン情報が記憶されており、処理装置１０１３は供給された情報と、ドットパターン情報から、帳票１００上での電子ペン１０１の位置をＸ／Ｙ座標によって算出する。
【００２３】
処理装置１０１３は、算出したＸ／Ｙ座標を、タイマ１０１７から取得したタイムスタンプ（時刻情報）および当該電子ペン１０１を識別するペンＩＤ（Identification）と関連付け、時系列の軌跡情報としてストローク毎のファイル（データ）としてメモリ１０１４に保存する。ここで、ストロークとは、電子ペン１０１の圧電素子１０１２が、所定値以上の筆圧を検出してから、その値が所定値未満の値になるまでの期間であり、具体的には文字の一画にほぼ相当する。
【００２４】
処理装置１０１３は、帳票１００上のデータ送信開始領域１１００（図３）などをユーザ（作業者）が電子ペン１０１でチェックしたタイミングなどでＧＰＳ機能付携帯電話１０２に伝送装置１０１６を介して、保存した軌跡情報を含む帳票データを送信するようにしてもよい。この場合、少なくとも帳票１００のデータ送信開始領域１１００の項目と、帳票１００上のＸ／Ｙ座標の範囲が対応付けられているデータ送信開始領域情報が、メモリ１０１４に記憶されている必要がある。つまり、処理装置１０１３は、軌跡情報におけるＸ／Ｙ座標が、データ送信開始領域情報のＸ／Ｙ座標範囲内にあるか否かを監視している。そして、処理装置１０１３において、軌跡情報におけるＸ／Ｙ座標が、データ送信開始領域情報のＸ／Ｙ座標範囲内に入ったと判定されたとき、伝送装置１０１６がメモリ１０１４に蓄積されている軌跡情報を送信してもよい。
【００２５】
なお、電子ペン１０１からＧＰＳ機能付携帯電話１０２への帳票データ送信のタイミングは、ユーザ（作業者）が帳票１００上のデータ送信開始欄をチェックしたタイミングに限らず、例えば、電子ペン１０１に備えられている送信ボタンをユーザ（作業者）が押下したタイミングでもよいし、電子ペン１０１の圧電素子１０１２が筆圧を検知すると、伝送装置１０１６が軌跡情報を逐次的に送信してもよい。
また、本実施形態に係る技術は、ユーザ（作業者）の記入した軌跡情報を時刻情報と共に記憶可能な装置であれば、電子ペン１０１に限らず適用可能である。
【００２６】
《帳票》
図３は、本実施形態に係る帳票の例を示す図である。
帳票１００は、例えば特殊なドットパターンが印刷された用紙を用いることで、電子ペン１０１用の専用紙として機能する。この専用紙は、紙面を所定サイズの格子に区切った場合に、その位置を特定できるようにドットが配置されており、このドットパターンの情報を用いて、帳票１００上における電子ペン１０１のペン先の位置を特定することができる。
帳票１００は、電子ペン１０１によって各情報が記入されるエリアから構成されている。エリアとは、項目ごとの情報が記入される帳票１００上の領域である。例えば、エリア１１０２は、作業場所名に関するエリアであり、作業場所名として「作業地点Ａ」という情報が記入されている。つまり、エリアとは、記入される情報と、関連する項目とが結びつけられる領域である。なお、エリアは、記入される情報と、関連する項目とが１対１に結びつけられてもよいし、記入される情報と、この情報に関連する複数の項目とが結び付けられていてもよい。
帳票１００には、データ送信開始領域１１００が記載されており、ユーザ（作業者）がデータ送信開始領域１１００をチェックすると、電子ペン１０１の伝送装置１０１６から帳票データがＧＰＳ機能付携帯電話１０２に向けて送信される。また、帳票１００には、作業Ｎｏ．記入領域１１０１があり、ここに記載された情報が管理サーバ１０４において作業Ｎｏ．として抽出される。
《データベース》
次に、図１を参照しつつ、図４から図７に沿って各データベースに記憶されている情報について説明する。
【００２７】
（ペン情報）
図４は、本実施形態に係るペン情報データベースに記憶されるペン情報の例を示す図である。
図４に示すようにペン情報１２００は、電子ペン１０１のペンＩＤと、この電子ペン１０１を所持しているユーザ（作業者）のＧＰＳ機能付携帯電話１０２のメールアドレスと、この携帯電話を所持している作業者名が組の情報として記憶されている。ペンＩＤは、少なくとも位置確認システム内において一意となる電子ペン１０１の識別子である。
【００２８】
（携帯位置情報）
図５は、本実施形態に係る携帯位置情報データベースに記憶される携帯位置情報の例を示す図である。
図５に示すように、携帯位置情報１２０１には、作業Ｎｏ．、ペンＩＤ、送信日時、位置座標が記憶されている。
作業Ｎｏ．は、作業毎に付された番号であり、例えば帳票１００における作業Ｎｏ．記入領域１１０１（図３）に記入された情報である。
ペンＩＤは、図４のペンＩＤと同様の情報であり、電子ペン１０１からＧＰＳ機能付携帯電話１０２を経由して、管理サーバ１０４に送信されてくる帳票データに含まれる情報である。
送信日時は、ＧＰＳ機能付携帯電話１０２が、自身の位置座標を含む携帯位置データをＷｅｂサーバ１０７に送信した日時である。なお、送信日時は、携帯位置データをＷｅｂサーバ１０７に送信した日時に限らず、帳票データに含まれるタイムスタンプなどを利用してもよい。
位置座標は、ＧＰＳ機能付携帯電話１０２が、ＧＰＳを利用して取得したＧＰＳ機能付携帯電話１０２の位置座標である。
【００２９】
（作業依頼情報）
図６は、本実施形態に係る作業依頼情報データベースに記憶される作業依頼情報の例を示す図である。図６の作業依頼情報１２０２および図７の作業予定位置情報１２０３は、作業予定に関する情報であり、予め管理端末１０５を介して管理サーバ１０４の記憶部１２０に記憶される情報である。
図６に示すように、作業依頼情報１２０２は、作業依頼Ｎｏ．、ペンＩＤ、作業予定位置ＩＤ、作業開始予定日時および作業終了予定日時を記憶している。
作業依頼Ｎｏ．は、図５の作業Ｎｏ．と同様に予定されている作業毎に付される番号であり、対応する作業に関する作業Ｎｏ．と、作業依頼Ｎｏ．とは、同一の番号が記憶される。
ペンＩＤは、この作業で使用する予定の電子ペン１０１の識別子である。
作業予定位置ＩＤは、図７の作業予定位置情報１２０３と紐付けるためのＩＤである。
作業開始予定日時は、作業が開始される予定日時であり、作業終了予定日時は、作業が終了する予定日時である。
【００３０】
（作業予定位置情報）
図７は、本実施形態に係る作業予定位置情報データベースに記憶される作業予定位置情報の例を示す図である。
図７に示すように、作業予定位置情報１２０３は、作業予定位置ＩＤ、作業予定位置名称および作業予定位置座標を記憶している。
作業予定位置ＩＤは、図６に示す作業依頼情報１２０２における作業予定位置ＩＤに相当する識別子であり、作業予定位置ＩＤを介して作業依頼情報１２０２と、作業予定位置情報１２０３とは紐付けられている。
作業予定位置名称は、該当する作業予定位置の名称である。なお、作業予定位置名称は、省略可能である。
作業予定位置座標は、作業予定位置の座標である。本実施形態において、作業予定位置座標は、２点の座標が記憶され、作業予定位置は、この２点を結ぶ線を対角線とする長方形が定める位置であるが、これに限らず、２点を直径とする円が定める位置としたり、作業予定位置座標として、３点以上の座標を登録し、これらの点を結んでできる多角形が定める位置としてもよい。
ＧＰＳ機能付携帯電話１０２から送信されてきた図５の位置座標が、この作業予定位置座標内に入っており、かつ図５の送信日時が、図６の作業開始予定日時および作業終了予定日時内に収まっていれば、このユーザ（作業者）は、作業予定時間内に、この作業予定場所にいたこととなる。
なお、作業依頼情報１２０２および作業予定位置情報１２０３は、請求項における作業予定情報に相当する。
【００３１】
なお、管理サーバ１０４においては、電子ペン１０１から送信されてきた軌跡情報を処理するための帳票定義情報や、ドットパターン情報などが記憶部１２０に記憶され、さらに軌跡処理プログラムや、文字認識プログラムなどが実行されているが、これらは、一般的な電子ペン１０１の軌跡処理であるため、本実施形態における記載を省略する。
【００３２】
《システム概要》
次に、図８を参照して、本実施形態に係る位置確認システムの概略を説明する。詳細な処理の説明は、図９において後記する。
図８は、本実施形態に係る位置確認システムの概要を示す図である。
位置確認システム１において、後記する電子ペン１０１専用の帳票１００に電子ペン１０１を用いて記入を行った後、ユーザ（作業者）が帳票１００上のデータ送信開始領域１１００に電子ペン１０１でチェックを入れるなどすることにより、帳票１００の記述内容のデータである帳票データがＧＰＳ機能付携帯電話１０２に送信される（Ｓ１）。
【００３３】
次に、ＧＰＳ機能付携帯電話１０２は、受信した帳票データを各キャリア会社に設置されているダイアルアップサーバ１０９に送信する（Ｓ２）。このとき、ＧＰＳ機能付携帯電話１０２は、ダイアルアップネットワーク１０３を介したダイアルアップ接続（具体的には、ＦＡＸ（Facsimile）通信）を用いて帳票データを送信する。通常の電話回線接続であるダイアルアップ接続を利用することで、ＧＰＳ機能付携帯電話１０２における組込アプリケーションを使用することなく、データの送信を行うことができる。
【００３４】
そして、ダイアルアップサーバ１０９は、受信した帳票データを管理サーバ１０４へインターネットもしくはイントラネットなどのＩＰネットワーク１０８経由で送信する（Ｓ３）。
帳票データを受信した管理サーバ１０４は、帳票データに含まれるペンＩＤを取得する。さらに、管理サーバ１０４は、帳票データの解析を行い、この帳票データから作業Ｎｏ．を抽出する。続いて、管理サーバ１０４は、ペンＩＤをキーとして、ペン情報１２００から対応付けられているメールアドレスを取得すると、このメールアドレスに宛てて位置情報確認メールを、ＩＰネットワーク１０８を介して送信する（Ｓ４）。この位置情報確認メールには、Ｗｅｂサーバ１０７への接続を行うためのＵＲＬ（Uniform Resource Locator）が記述されている。
ユーザ（作業者）は、所持しているＧＰＳ機能付携帯電話１０２に位置情報確認メールが届くと、このメールに記述されているＵＲＬに接続するタイミングで、ＧＰＳ機能付携帯電話１０２は、ＧＰＳの人工衛星と通信を行ってＧＰＳ機能付携帯電話１０２自身の位置座標を取得し（Ｓ５）、取得した位置座標と、現在の日時である送信日時とを組の情報とした携帯位置データを、位置情報確認メールに記述されているＵＲＬが示すＷｅｂサーバ１０７へＩＰネットワーク１０８を介して送信する（Ｓ６）。Ｗｅｂサーバ１０７は、受信した携帯位置データを管理サーバ１０４へＩＰネットワーク１０８を介して送信する（Ｓ７）。管理サーバ１０４は、受信した携帯位置データに含まれる位置座標と、送信日時を携帯位置情報１２０１に記憶する。そして、管理サーバ１０４は、携帯位置情報１２０１と、作業依頼情報１２０２とを比較する位置確認処理を行う（Ｓ８）ことによって、ユーザ（作業者）が予定されている作業場所にいたか否かを判定する。
【００３５】
《フローチャートおよびシーケンス図》
次に、図１から図７を参照しつつ、図９に沿って本実施形態に係る位置確認処理を説明する。なお、図９の管理サーバ１０４の各処理は、図１において記憶部１２０に記憶されている各プログラム１２１〜１２３が、ＲＡＭ１１１に展開され、ＣＰＵである演算処理部１１０によって実行されることによって具現化する。また、その他の各処理についても、各装置１０１，１０２，１０６，１０７，１０９のＲＯＭや、ハードディスクなどの記憶装置に記憶されているプログラムが、ＲＡＭに展開され、ＣＰＵである演算処理部によって実行されることによって具現化する。つまり、プログラムが動作主体となっている場合、記憶部１２０に記憶されている各プログラム１２１〜１２３が、ＲＡＭ１１１に展開され、ＣＰＵである演算処理部１１０によって、各処理が実行されていることを示している。
【００３６】
（位置確認処理）
図９は、本実施形態に係る位置確認処理の手順を示すシーケンス図である。
まず、ユーザ（作業者）は、電子ペン１０１を使用して帳票１００の記入を行う（Ｓ１０１）。そして、ユーザ（作業者）が、帳票１００上のデータ送信開始領域１１００をチェックすると、電子ペン１０１の伝送装置１０１６が、メモリ１０１４に蓄積されている軌跡情報にペンＩＤを付加した帳票データをＧＰＳ機能付携帯電話１０２に送信する（Ｓ１０２）。ここで、前記したように電子ペン１０１と、ＧＰＳ機能付携帯電話１０２との通信は、Ｂｌｕｅｔｏｏｔｈ（登録商標）などの近距離無線通信が好ましいが、赤外線通信など、これ以外の無線方式でも構わない。また、通信方式として、Ｂｌｕｅｔｏｏｔｈ（登録商標）を用いる場合、前記したように前もって電子ペン１０１と、ＧＰＳ機能付携帯電話１０２とをペアリングしておく必要がある。なお、前記したように、帳票データは電子ペン１０１の軌跡の情報である軌跡情報にペンＩＤが付加したものであり、一般的な電子ペン１０１において用いられているデータである。ちなみに、軌跡情報とは、前記したように、日時の情報と、この日時における電子ペン１０１の帳票１００上におけるＸ／Ｙ座標とが組の情報として記憶されている情報である。
【００３７】
ＧＰＳ機能付携帯電話１０２が、電子ペン１０１からすべての帳票データの受信を終了すると、ＧＰＳ機能付携帯電話１０２は、ＧＰＳ機能付携帯電話１０２の画面にデータ受信完了の情報を表示する。次に、ユーザ（作業者）はＧＰＳ機能付携帯電話１０２を操作し、帳票データを、キャリア会社に設置されているダイアルアップサーバ１０９へダイアルアップ接続で送信し（Ｓ１０３）、ダイアルアップサーバ１０９は、受信した帳票データをインターネットや、イントラネットなどのＩＰネットワーク１０８経由で管理サーバ１０４へ送信する（Ｓ１０４）。なお、ダイアルアップ接続で帳票データを送信する処理は、ＧＰＳ機能付携帯電話１０２のダイアルアップ処理プログラム（図示せず）が、帳票データの受信完了に伴って自動的に行ってもよい。
【００３８】
帳票データを受信した管理サーバ１０４の帳票解析プログラム１２３は、帳票データからペンＩＤを抽出すると、帳票データの軌跡情報を解析して、この帳票データから作業Ｎｏ．を抽出する。なお、軌跡情報の解析は、電子ペン１０１に関する技術において、一般的に行われている技術であるため、詳細な説明を省略するが、帳票解析プログラム１２３は、管理サーバ１０４の記憶部１２０に記憶されている図示しない帳票定義情報などと、軌跡情報のＸ座標、Ｙ座標の情報とを比較することによって、帳票１００のどの項目に、どのような文字や、記号が記載されているのかを解析する処理である。ここで、帳票定義情報とは、帳票１００上の項目の範囲が、帳票１００上のＸ座標、Ｙ座標で示されている情報である。帳票解析プログラム１２３は、この帳票１００の解析処理を行い、帳票１００の作業Ｎｏ．記入領域１１０１に記入されている軌跡情報を解析することによって、帳票データから作業Ｎｏ．を抽出する。
【００３９】
そして、帳票解析プログラム１２３は、抽出したペンＩＤと、作業Ｎｏ．とを、携帯位置情報１２０１の作業Ｎｏ．欄およびペンＩＤ欄に記憶する（Ｓ１０５）。
【００４０】
次に、メール処理プログラム１２２が、抽出したペンＩＤをキーとして、ペン情報１２００を検索し、対応するメールアドレスを取得する（Ｓ１０６）。
次に、管理サーバ１０４のメール処理プログラム１２２は、取得したメールアドレス（つまり、帳票データの送信元のＧＰＳ機能付携帯電話１０２のメールアドレス）に宛てる位置情報確認メールを生成する。この位置情報確認メールには、Ｗｅｂサーバ１０７にアクセスするためのＵＲＬが記述されている。
そして、メール処理プログラム１２２は、送受信部１１２を介して生成した位置情報確認メールをキャリア会社に設置されているメールサーバ１０６に送信する（Ｓ１０７）。なお、このときの接続は、ＩＰ接続であることはいうまでもない。
位置情報確認メールを受信したメールサーバ１０６は、さらにメールアドレスが示すＧＰＳ機能付携帯電話１０２に宛てて位置情報確認メールを送信する（Ｓ１０８）。
【００４１】
位置情報確認メールを受信したＧＰＳ機能付携帯電話１０２を所持しているユーザ（作業者）は、ＧＰＳ機能付携帯電話１０２のメール機能をたちあげることで、位置情報確認メールを閲覧する。そして、ＧＰＳ機能付携帯電話１０２が、位置情報確認メールに記述されているＵＲＬが示すＷｅｂサーバ１０７にＩＰ接続でアクセスすると同時に、ＧＰＳ機能付携帯電話１０２が、ＧＰＳの人工衛星と通信を行い、ＧＰＳ機能付携帯電話１０２自身の位置座標を取得する（Ｓ１０９）。
そして、ＧＰＳ機能付携帯電話１０２は、取得した位置座標と、位置情報確認メールに記載されているメールアドレスと、ＧＰＳ機能付携帯電話１０２内のタイマから取得した現在日時（送信日時）とを組のデータとした携帯位置データをＷｅｂサーバ１０７へ送信し（Ｓ１１０）、Ｗｅｂサーバ１０７は、受信した携帯位置データを、管理サーバ１０４へ送信する（Ｓ１１１）。
【００４２】
管理サーバ１０４の位置比較処理プログラム１２１は、受信した携帯位置データを携帯位置情報データベース１２７の携帯位置情報１２０１に記憶する（Ｓ１１２）。具体的には、位置比較処理プログラム１２１は、受信した携帯位置データに含まれているメールアドレスをキーとしてペン情報１２００を検索し、対応しているペンＩＤを取得する。そして、位置比較処理プログラム１２１は、携帯位置情報１２０１を参照して、取得したペンＩＤに該当する送信日時欄および位置座標欄に、携帯位置データに含まれる送信日時と、位置座標とを記憶する。
【００４３】
そして、位置比較処理プログラム１２１は、登録した携帯位置情報１２０１のレコードの作業Ｎｏ．をキーとして、作業依頼情報１２０２を検索し、対応する作業予定位置ＩＤと、作業開始予定日時と、作業終了予定日時とを取得する。さらに、位置比較処理プログラム１２１は、作業予定位置ＩＤをキーとして、作業予定位置情報１２０３を検索し、作業予定位置座標を取得する。その後、位置比較処理プログラム１２１は、携帯位置情報１２０１の該当する位置座標が、取得した作業予定位置座標が示す長方形内に入っているか、携帯位置情報１２０１の該当する送信日時が、作業開始予定日時と、作業終了予定日時との間に入っているかを判定する位置比較処理を行う（Ｓ１１３）。
【００４４】
位置比較処理の結果、携帯位置情報１２０１の該当する位置座標が、取得した作業予定位置座標が示す長方形内に入っており、かつ携帯位置情報１２０１の該当する送信日時が、作業開始予定日時と、作業終了予定日時との間に入っている場合、位置比較処理プログラム１２１は、管理端末１０５の表示部に「ＯＫ」の旨の表示を行わせる。
位置比較処理の結果、携帯位置情報１２０１の該当する位置座標が、取得した作業予定位置座標が示す長方形内に入っていない、または携帯位置情報１２０１の該当する送信日時が、作業開始予定日時と、作業終了予定日時との間に入っていない場合、位置比較処理プログラム１２１は、管理端末１０５の表示部に「ＮＧ」の旨の表示を行わせる。
【００４５】
なお、ステップＳ１０５で、帳票解析プログラム１２３は、何も携帯位置情報１２０１に記憶せず、メール処理プログラム１２２が、ステップＳ１０６で位置情報確認メールに作業Ｎｏ．と、ペンＩＤとを記述してもよい。この場合、ステップＳ１１０およびステップＳ１１１で送信される携帯位置データには、作業Ｎｏ．と、ペンＩＤとが含まれており、ステップＳ１１２で位置比較処理プログラム１２１が、作業Ｎｏ．と、ペンＩＤと、送信日時と、位置座標を一度に携帯位置情報１２０１に記憶してもよい。
【００４６】
また、本実施形態では、携帯電話１０２は、ダイアルアップ接続でダイアルアップサーバ１０９へ帳票データを送信した後、ダイアルアップサーバ１０９がＩＰネットワーク１０８を介して、管理サーバ１０４へ帳票データを送信しているが、これに限らず、例えば、管理サーバ１０４の機能をダイアルアップサーバ１０９が有することにより携帯電話１０２は、ダイアルアップネットワーク１０３を介して、直接管理サーバ１０４へ帳票データを送信してもよい。また、携帯電話１０２が、ダイアルアップネットワーク１０３を介して、ダイアルアップサーバ１０９へ帳票データを送信した後、ダイアルアップサーバ１０９は、ＩＰネットワーク１０８以外のネットワークを介して帳票データを管理サーバへ送信してもよいし、他のサーバを経由して、帳票データを管理サーバ１０４へ送信してもよい。つまり、携帯電話１０２は、帳票データをダイアルアップネットワーク１０８へ向けて送信するが、その後、帳票データが送信される経路は、本実施形態に記載の経路に限らない。
【００４７】
本実施形態によれば、ダイアルアップ接続を用いて帳票データを管理サーバ１０４に送信しているため、携帯電話に専用の組込アプリケーションを搭載する必要がなく、従ってキャリアや、携帯電話メーカに依存することなく、ユーザ（作業者）の位置情報を管理サーバ１０４において把握することが可能となる。
【図面の簡単な説明】
【００４８】
【図１】本実施形態に係る位置確認システムの構成例を示す図である。
【図２】本実施形態に係る電子ペンの構成例を示す図である。
【図３】本実施形態に係る帳票の例を示す図である。
【図４】本実施形態に係るペン情報データベースに記憶されるペン情報の例を示す図である。
【図５】本実施形態に係る携帯位置情報データベースに記憶される携帯位置情報の例を示す図である。
【図６】本実施形態に係る作業依頼情報データベースに記憶される作業依頼情報の例を示す図である。
【図７】本実施形態に係る作業予定位置情報データベースに記憶される作業予定位置情報の例を示す図である。
【図８】本実施形態に係る位置確認システムの概要を示す図である。
【図９】本実施形態に係る位置確認処理の手順を示すシーケンス図である。
【符号の説明】
【００４９】
１      位置確認システム
１００  帳票
１０１  電子ペン
１０２  ＧＰＳ機能付携帯電話（携帯電話）
１０３  ダイアルアップネットワーク
１０４  管理サーバ
１０５  管理端末
１０６  メールサーバ
１０７  Ｗｅｂサーバ
１０８  ＩＰネットワーク
１０９  ダイアルアップサーバ
１２１  位置比較処理プログラム（位置比較部）
１２２  メール処理プログラム（メール処理部：管理サーバ）
１２３  帳票解析プログラム
１２６  ペン情報データベース
１２７  携帯位置情報データベース
１２８  作業依頼情報データベース
１２９  作業予定位置情報データベース
１０１０  ペン
１０１１  カメラ
１０１２  圧電素子
１０１３  処理装置
１０１４  メモリ
１０１５  電池
１０１６  伝送装置
１０１７  タイマ
１１００  データ送信開始領域
１１０１  作業Ｎｏ．記入領域
１２００  ペン情報
１２０１  携帯位置情報
１２０２  作業依頼情報（作業予定情報）
１２０３  作業予定位置情報（作業予定情報）
【図１】
2010109868.tif 000003
【図２】
2010109868.tif 000004
【図３】
2010109868.tif 000005
【図４】
2010109868.tif 000006
【図５】
2010109868.tif 000007
【図６】
2010109868.tif 000008
【図７】
2010109868.tif 000009
【図８】
2010109868.tif 000010
【図９】
2010109868.tif 000011